(57)【要約】      （修正有）【課題】いわゆる石油缶等の缶類の脆弱性に由来する欠陥を改善し、缶へこみや缶破損を防ぐこと、更に缶を段積みした場合における缶の上下間の横滑りを防ぐことにより荷崩れを防止し、缶へこみや缶破損を防ぐこと、又更に、これらの缶へこみや缶破損を防止することにより、缶類による保存時、あるいは輸送時における安全性を向上する。【解決手段】缶類の底部に固定することを特徴とする薄板上の構造材からなる保護具であって、一方の面に缶類の底面の接合部の突起部分に固定する爪（１）と、他方の面に当該保護具を固定した缶類を他の缶類に載せたときに他の缶類と勘合する突起（２）とを有することを特徴とする保護具を構成することにより、有効な保護具とすることができ、当該保護具を缶類の底部に固定する、又は缶類の上部に固定する。【選択図】図１
2006219197.tif 000002
【特許請求の範囲】
【請求項１】
缶類の底部に固定することを特徴とする缶類の保護具。
【請求項２】
薄板上の構造材からなる保護具であって、一方の面に缶類の底面の接合部の突起部分に固定する爪（１）と、他方の面に当該保護具を固定した缶類を他の缶類に載せたときに他の缶類と勘合する突起（２）及び突起（２’）とを有することを特徴とする、請求項１に記載の缶類の保護具。
【請求項３】
請求項１〜２に記載の保護具を、缶類の底部に固定する、又は缶類の上部に固定することによる、缶類の保護方法。
【発明の詳細な説明】
【技術分野】
【０００１】
本発明は、いわゆる石油缶等の缶類の保存時、及び輸送時における変形、破損を防止する保護具及び該保護具を用いる缶類の保護方法に関する。
【背景技術】
【０００２】
一斗缶をはじめとする石油缶等の缶類は、立方型であることから、保管時あるいは輸送時に複数缶を積載した場合に不要空間が少なく、積載密度が高いという長所を有する。また比較的に安価であることから、多くの液状物質等の容器に賞用されている。
【０００３】
しかしながら、いわゆる石油缶等の缶類は立方体であるがゆえに、角部分が脆弱であるといううらみがあり、特に段積みした場合には、保管時あるいは輸送時に角部分にへこみが生じたり、また場合によっては缶の破損に至る場合も多い。また段積みした場合には、上下の缶の間で勘合する機能が無いため、上下間で横滑りを起こし、荷崩れを起こす場合も多い。
【０００４】
保管時あるいは輸送時において、缶破損に至った場合は、内容物が漏れ出すことになり、特に可燃性の内容物の場合は火災等の危険もある。
【０００５】
缶類・瓶類の保管用、及び輸送用の保護具も見られるが（特許文献１〜３参照）、これらはいずれも包装体であり、輸送中における缶同士のずれを有効に防止できるものではなく、缶類を段積みして保管、及び輸送に用いることができるものは見当たらなかった。
【０００６】
【特許文献１】特開２００４−０１８０４９
【特許文献２】特開平１１−１９３０６０
【特許文献３】特開平１１−０１１４６２
【発明の開示】
【発明が解決しようとする課題】
【０００７】
本発明は、いわゆる石油缶等の缶類の脆弱性に由来する欠陥を改善し、缶へこみや缶破損を防ぐこと、更に缶を段積みした場合における缶の上下間の横滑りを防ぎ、荷崩れを防止し、缶へこみや缶破損を防ぐことにある。又更に、これらの缶へこみや缶破損を防ぐことにより、缶類による保存時、あるいは輸送時における安全性を向上することにある。
【課題を解決するための手段】
【０００８】
本発明者等は、これら缶類の脆弱性に由来する欠陥を改善すべく鋭意研究した結果、缶の底部に保護具を固定することによって、缶類の脆弱性を大きく減少させ得ることを見出した。更に保護具の底部に、缶類と勘合する突起部分を付加することにより、缶類を段積みした場合に、缶の上下間の横滑りを防ぐことを見出した。すなわち保護具の緩衝効果により缶類の脆弱性を大きく減少させ得ると同時に、段積みされた下の缶と保護具が勘合することにより、缶の上下間の横滑りを防ぎ、荷崩れを防止し、これらの相乗効果により、極めて有効な缶類の保護具を構成し得ることを見出すに至り、本発明を完成したのである。
【０００９】
すなわち、本発明は以下の要素により構成される。
１：缶類の底部に固定することを特徴とする缶類の保護具。
２：薄板上の構造材からなる保護具であって、一方の面に缶類の底面の接合部の突起部分に固定する爪（１）と、他方の面に当該保護具を固定した缶類を他の缶類に載せたときに他の缶類と勘合する突起（２）及び突起（２’）とを有することを特徴とする、１：に記載の缶類の保護具。
３： １：〜２：に記載の保護具を、缶類の底部に固定する、又は缶類の上部に固定することによる、缶類の保護方法。
【発明の効果】
【００１０】
本発明の保護具、及び該保護具を用いる保護方法により、従来の缶類の脆弱性による缶へこみや缶破損を防止することができる。
具体的には、缶類の従来の保存時、あるいは輸送時における缶へこみや缶破損を、実質的に全く発生させないことが可能となり、缶へこみや缶破損に由来する内容物の漏れ出しや、火災等の危険性を発生させないことが可能となった。
【発明を実施するための最良の形態】
【００１１】
本発明による保護具、及び缶類の保護方法を更に詳細に説明する。
本発明による保護具に用いる材質は、一定以上の強度を有するものであれば、特に限定されることは無いが、衝撃を緩衝する作用を有する材質であれば更に好適に用いることができる。
【００１２】
本発明による保護具の大きさは、特に限定されることは無いが、缶類の底面より若干大きい程度が、缶類の底部に固定する構造を容易に構成し、又全体の大きさを抑制し、積載密度を低下させることが無く、好適である。
【００１３】
本発明による保護具の缶類の底部に固定する構造は、特に限定されることは無いが、缶類の底面の接合部の突起部分を利用して固定することが好適であり、このために固定するための爪を構成することにより、良好に実施することができる。本発明による保護具の缶類の底部に固定する爪は、薄板上の保護具に、缶類の底部に適合する袴（３）部分を構成せしめ、この袴部分に設置せしめることが好適である。本発明による保護具の缶類の底部に固定するための爪の構造は、特に限定されることは無いが、缶類の底部に容易に固定するために、上端を切り落とした構造（１）が好適である。
またこの爪の個数は、一面に対して一個以上あれば実質的に固定しうるが、一面に対して二個で、全体で８個による構成が好適である。
【００１４】
本発明による保護具の、缶類の底部に固定した保護具の、他の石油缶との勘合する構造は、特に限定されることは無いが、他の石油缶の上面の接合部分と勘合させるための溝を構成させることが好適であり、２ｍｍ程度の２本の突起を、他の石油缶の上面の接合部分に適合させるべく溝を構成させる（２）及び（２’）の構造が実質的に良好である。
【００１５】
本発明による保護具の最良の一形態を、図１〜図５により示す。
本発明による保護具を用いる缶類の保護方法としては、缶類の底部に固定することにより、保護具の緩衝効果により缶類の脆弱性を大きく減少させ得ると同時に、更に缶類に段積みされた場合に、下の缶と保護具が勘合することにより、缶の上下間の横滑りを防ぎ、荷崩れを防止し、これらの相乗効果により、缶類の有効な保護を達成することができる。
【００１６】
本発明による保護具を用いる缶類の保護方法としては、缶類の上部に固定することによっても、実質的に缶類の底部に固定することによる保護効果と全く同じ保護を達成することができる。
【実施例１】
【００１７】
材質としてポリプロピレンを用いて本発明の保護具を作成し、当該保護具を底部に固定した１８Ｌ石油缶に水を１８Ｋｇ充填した。この水を充填した１８Ｌ石油缶を輸送用パレットに一段につき１６個で、合計４８個を三段に段積みし、最上段の側面をいわゆる締付けバンドにより締付けを行い、緩みによるずれを防止した。
【００１８】
当該パレットを輸送用フォークリフトにより地面より輸送用トラックに積み込み、更に積み下ろし作業を５０回繰り返したところ、一個の缶へこみや缶破損を生じることが無かった。また当該パレットを積載した輸送用トラックを、市街地において５時間走行させたところ、一個の缶へこみや缶破損を生じることが無く、極めて良好な保護機能を発揮していることが分かる。
（比較例１）
本発明の保護具を用いることなく、その他は実施例１と同様に、水を充填した１８Ｌ石油缶を輸送用パレットに合計４８個を三段に段積みした。
当該パレットを輸送用フォークリフトにより地面より輸送用トラックに積み込み、更に積み下ろし作業を５０回繰り返したところ、１０回程度の繰り返しで上下間の石油缶の間でずれを生じ始め、３０回程度で荷崩れを発生するに至った。また当該パレットを積載した輸送用トラックを、市街地において５時間走行させたところ、２時間程度で上下間の石油缶の間でずれを生じ始め、３時間程度では荷崩れを生じる場合もあった。
【実施例２】
【００１９】
材質としてポリプロピレンを用いた本発明の保護具を用い、当該保護具を底部に固定した１８Ｌ石油缶に水、及び蝋類を１５Ｋｇ充填した。それぞれの充填物について、輸送用パレットに一段につき、この１８Ｌ石油缶を６個（３個×２列）を三段積みにし、最上段の側面をいわゆる締付けバンドにより締付けを行い、緩みによるずれを防止した。
【００２０】
当該パレットを、大型水平加振機を用いて、水の場合は振動数３．０Ｈｚ〜４．０Ｈｚ、加速度０．２５×１０−２ｍ／ｓｅｃ−２〜０．３５×１０−２ｍ／ｓｅｃ−２の水平振動を、蝋類の場合は振動数２．５Ｈｚ〜３．５Ｈｚ、加速度０．２５×１０−２ｍ／ｓｅｃ−２〜０．３５×１０−２ｍ／ｓｅｃ−２の水平振動を石油缶荷姿長径方向（１８Ｌ石油缶が３個並ぶ方向）から１５秒間加えた。
【００２１】
加振後、上面から観察して、その上面からの荷姿の見かけの面積を物指しで測定した。その結果を充填物が水の場合を表１に、充填物が蝋類の場合を表２に示す。荷ずれ状態の目視による評価は
◎：極めて小さい
○：小さい
△：中程度
×：大きい
××：崩壊状態
で行った。
【００２２】
表１、及び表２から分かるように、振動による荷のずれの程度は極めて少なく、事実上問題の無い程度のものであり、極めて良好な保護機能を発揮していることが分かる。
【００２３】
【表１】
2006219197.tif 000003
【００２４】
【表２】
2006219197.tif 000004
【００２５】
（比較例２）
本発明の保護具を用いることなく、その他は実施例２と全く同じ条件で、水平振動実験を行った。
加振後、実施例２と全く同様にして、上面からの荷姿の見かけの面積を測定した。その結果を充填物が水の場合を表３に、充填物が蝋類の場合を表４に示す。
表３、及び表４から分かるように、振動による荷のずれの程度は極めて大きく、特に蝋類における振動数３．０Ｈｚ、加速度０．３５Ｇａｌでは荷崩れ寸前の状態であった。
【００２６】
【表３】
2006219197.tif 000005
【００２７】
【表４】
2006219197.tif 000006
【実施例３】
【００２８】
材質としてポリプロピレンを用いた本発明の保護具を用い、充填物が水、及び蝋類について実施例２と同一の荷積み状態で、垂直振動試験による貨物自動車１０００Ｋｍ輸送時の振動試験（ＪＩＳ  Ｚ０２３２）により行った。振動数の範囲を５〜５０Ｈｚ、ピーク加速度を±７．３５ｍ／ｓｅｃ−２で２０分間振動試験を行ったところ、振動による荷のずれの程度は極めて少なく、ＪＩＳ  Ｚ０２３２に規定する試験に適合することが分かった。また本発明の保護具は極めて良好な耐久性を有していることが分かった。
【産業上の利用可能性】
【００２９】
本発明は、液状物質等の容器として用いられる石油缶等の缶類の有効な保護具を提供するものであり、石油缶等の缶類に充填等された液状物質等の保管、及び輸送中における缶類の破損を有効に防止する方法を提供するものである。
【図面の簡単な説明】
【００３０】
【図１】本発明の保護具を斜め上方から視た俯瞰図である。底面の勘合突起は破線で表してある。固定するための爪（１）の符号は、一隅のみを記載し、他は省略した。
【図２】本発明の保護具を上方から視た平面図である。固定するための爪（１）の符号は、一隅のみを記載し、他は省略した。
【図３】本発明の保護具を下方から視た平面図である。固定するための爪（１）の符号は、一隅のみを記載し、他は省略した。
【図４】本発明の保護具を側方から視た側面図である。固定するための爪（１）の符号と、勘合するための突起（２）及び突起（２’）の符号は、一隅のみを記載し、他は省略した。
【図５】本発明の保護具の、固定するための爪（１）と、勘合するための突起（２）及び突起（２’）を側方から視て示す部分断面図である。
【符号の説明】
【００３１】
１ 缶類の底面の接合部分の突起部分に固定する爪
２，２’ 他の缶類の上面と勘合する突起
３ 缶類の底面に適合する袴
ａ 固定するための爪（１）と、勘合するための突起（２）を側方から視て示す部分断面図の部分
【図１】
2006219197.tif 000007
【図２】
2006219197.tif 000008
【図３】
2006219197.tif 000009
【図４】
2006219197.tif 000010
【図５】
2006219197.tif 000011